(57)【要約】【課題】  室内の高所に設置された暖房装置から吹き出される温気を下方に誘導して床面付近を効率よく暖房するための温気誘導装置を提供する。【解決手段】  温気誘導装置１は、暖房装置２１の吹き出し口２２に接続されるホッパー２と、断熱可撓性ダクト３によりホッパー２と連通した噴気部材４と、ダクト３と噴気部材４との間に介設される吸気ファン５とを具備する。ホッパー２は、高所に設置された暖房装置２１の温気吹き出し口２２の一部をその開口６が覆うように、当該暖房装置２１に係脱可能である。係止部材として面ファスナを用いることができる。噴気部材４は、断熱可撓性ダクト３によりホッパー２と連通し、床面上等の暖房装置２１から離れた位置に配置される。吸気ファン５は、ダクト３と噴気部材４との間に介設され、ホッパー２から暖房装置２１の温気を吸引して噴気部材４から噴出する。【選択図】  図１
0003108049.tif 000002
【実用新案登録請求の範囲】
【請求項１】
高所に設置された暖房装置の温気吹き出し口の一部を開口が覆うように当該暖房装置に係脱可能なホッパーと、
可撓性ダクトにより前記ホッパーと連通し、床面上等の前記暖房装置から離れた位置に配置される噴気部材と、
前記ダクトと前記噴気部材との間に介設され、前記ホッパーから前記暖房装置の温気を吸引して前記噴気部材から噴出する吸気ファンとを具備することを特徴とする暖房装置用温気誘導装置。
【請求項２】
前記吸気ファンは、起動スイッチと、前記ホッパーから送られてくる空気の温度を検知して所定温度以上である時に吸気ファンを動作させる温度スイッチとを具備することを特徴とする請求項１に記載の暖房装置用温気誘導装置。
【請求項３】
前記暖房装置の温気吹き出し口の周辺に取り付けられる係止部材をさらに具備し、
前記ホッパーが、開口の周縁部に前記係止部材に係脱自在の対応係止部材を備えることを特徴とする請求項１又は２に記載の暖房装置用温気誘導装置。
【請求項４】
前記ホッパーのほぼ全体が、柔軟な被覆部材で構成され、開口の周辺部に、当該開口を前記暖房装置の温気吹き出し口の形状に対応する細長形状に保持するための所定の硬度と弾性とを有する成形枠部材が設けられることを特徴とする請求項１ないし３のいずれかに記載の暖房装置用温気誘導装置。
【請求項５】
前記係止部材及び対応係止部材が面ファスナであり、
前記ホッパーの開口の周辺部であって前記成形枠部材より先端側に、柔軟な接合片が設けられ、
前記対応係止部材としての面ファスナが接合片の周縁部に取り付けられることを特徴とする請求項４に記載の暖房装置用温気誘導装置。
【請求項６】
前記係止部材である面ファスナが、前記暖房装置の温気吹き出し口の上縁部と下縁部付近に取り付けられ、  
前記ホッパーの開口が、前記成形枠部材により細長矩形状に保持され、
前記ホッパーの接合片が、開口の両短辺から一方の長辺にわたって連続的に先端側へ延出するカバー片と、開口の他方の長辺に沿って開口の内側へ短く張り出す係止片とを具備し、
前記対応係止部材としての面ファスナが、前記カバー片における前記開口の長辺に沿った先端側縁部と前記係止片上に取り付けられ、
前記カバー片の先端側縁部が前記暖房装置の温気吹き出し口の上縁部に係止され、前記係止片が前記暖房装置の温気吹き出し口の下縁部に係止されるように構成されることを特徴とする請求項５に記載の暖房装置用温気誘導装置。
【考案の詳細な説明】
【技術分野】
【０００１】
この考案は、例えば、エアコンディショナーの室内装置のような、室内の高所に設置された暖房装置から吹き出される温気を下方に誘導して床面付近を効率よく暖房するための温気誘導装置に関する。
【背景技術】
【０００２】
室内の高所に設置された暖房装置から吹き出される温気は、室内の高所に滞留しやすいため、人は頭部付近が過剰に温かく、足下が寒く感じる。この現象は、暖房装置の出力を高めても、また温気吹き出し口に可動ルーバーを備えた暖房装置でも容易に解消しない。
【考案の開示】
【考案が解決しようとする課題】
【０００３】
この考案は、例えば、エアコンディショナーの室内装置のような、室内の高所に設置された暖房装置から吹き出される温気を下方に誘導して床面付近を効率よく暖房するための温気誘導装置を提供することを課題としている。
【課題を解決するための手段】
【０００４】
この考案においては、上記課題を解決するため、暖房装置２１の吹き出し口２２に接続されるホッパー２と、可撓性ダクト３によりホッパー２と連通した噴気部材４と、ダクト３と噴気部材４との間に介設される吸気ファン５とを具備させて温気誘導装置１を構成する。ホッパー２は、高所に設置された暖房装置２１の温気吹き出し口２２の一部をその開口６が覆うように、当該暖房装置２１に係脱可能である。噴気部材４は、断熱可撓性ダクト３によりホッパー２と連通し、床面上等の暖房装置２１から離れた位置に配置される。吸気ファン５は、ダクト３と噴気部材４との間に介設され、ホッパー２から暖房装置２１の温気を吸引して噴気部材４から噴出する。
例えば、吸気ファン５は、起動スイッチ５ａと、ホッパー２から送られてくる空気の温度を検知して所定温度以上である時に吸気ファン５を動作させる温度スイッチ５ｂとを具備するものとし、暖房装置２１の運転に対応させることができる。
また、例えば、暖房装置２１の温気吹き出し口２２の周辺に面ファスナ７，８のような係止部材を取り付け、ホッパー２には、開口６の周縁部に係止部材７，８に係脱自在の対応係止部材９，１０を具備させることで、暖房装置２１への装着性を高めることができる。
また、ホッパー２のほぼ全体を柔軟な被覆部材１１で構成し、開口６の周辺部に、この開口６を暖房装置の温気吹き出し口２２の形状に対応する細長形状に保持するための成形枠部材１２を設けることにより、暖房装置２１へのホッパー２の装着操作性と、密着性を向上させることができる。
また、ホッパー２の開口６の周辺部であって、成形枠部材１２より先端側に、柔軟な接合片１３を設け、係止部材としての面ファスナ９，１０をこの接合片１３の周縁部に取り付けることにより、暖房装置２１へのホッパー２の密着性をより高めることができる。
さらに、面ファスナ７，８を暖房装置２１の温気吹き出し口２２の上縁部と下縁部付近に取り付け、ホッパー２の開口６を成形枠部材１２により細長矩形状に保持するようにする。そして、ホッパー２の接合片１３を、開口６の両短辺から一方の長辺にわたって連続的に先端側へ延出するカバー片１３ａと、開口６の他方の長辺に沿って開口６の内側へ短く張り出す係止片１３ｂとで構成し、対応面ファスナ９をカバー片１３ａの先端側縁部に、また対応面ファスナ９を係止片１１ｂに取り付ける。それにより、カバー片１３ａの先端側縁部を暖房装置２１の温気吹き出し口２２の上縁部に係止し、係止片１３ｂを温気吹き出し口２２の下縁部に係止できるようにすることで、各種の暖房装置２１に汎用的な温気誘導装置とすることができる。
【考案の効果】
【０００５】
この考案においては、高所の暖房装置から吹き出される温気を下方に誘導して床面付近を効率よく快適に暖房できる温気誘導装置を提供する。これにより、室内の床面付近の温度が比較低温であるにもかかわらず、暖房装置が上部に滞留する暖気を吸引して運転するために生じる無駄なハンチング現象（圧縮機の頻繁な断続運転）を回避することができる。
【考案を実施するための最良の形態】
【０００６】
図面を参照してこの考案の実施の形態を説明する。図１は本考案の実施例を示す温気誘導装置の使用状態の斜視図、図２は温気誘導装置の正面図、図３はホッパーの正面図、図４はホッパーの側面図、図５は噴気部材の正面図、図６は噴気部材の側面図、図７は噴気部材の平面図、図８はホッパーの斜視図である。
【０００７】
図において、２１は、エアコンディショナーの室内装置のような、室内の高所に設置された暖房装置である。暖房装置２１は、下部に温気の吹き出し口２２を備える。
【０００８】
温気誘導装置暖房装置１は、暖房装置２１の吹き出し口２２に接続されるホッパー２と、断熱可撓性ダクト３によりホッパー２と連通する噴気部材４と、ダクト３と噴気部材４との間に介設される吸気ファン５とを具備する。
【０００９】
ホッパー２は、高所に設置された暖房装置の温気吹き出し口２２の一部をその開口６が覆うように、当該暖房装置２１に係脱可能である。好ましくは、暖房装置２１の温気吹き出し口２２の周辺である上下の縁の約半分の幅に、係止部材としての面ファスナ７，８が接着される。これに対応して、ホッパー２には、開口６の周縁部に、対応係止部材としての面ファスナ９，１０が取り付けられる。
【００１０】
ホッパー２は、好ましくは、そのほぼ全体を柔軟な被覆部材１１で構成する。被覆部材１１における開口６の周辺部には、この開口６を暖房装置の温気吹き出し口２２の形状に対応する細長矩形状に保持するための成形枠部材１２を設ける。これにより、暖房装置２１へのホッパー２装着操作性と、密着性を向上させることができる。
【００１１】
ホッパー２の開口６の周辺部であって、成形枠部材１２より先端側には、柔軟な接合片１３を設け、係止部材としての面ファスナ９，１０をこの接合片１３の周縁部に取り付けることにより、暖房装置へのホッパーの密着性をより高めることができる。ホッパー２の接合片１３は、開口６の両短辺から一方の長辺にわたって連続的に先端側へ延出するカバー片１３ａと、開口６の他方の長辺に沿って開口６の内側へ短く張り出す係止片１３ｂとで構成する。面ファスナ９をカバー片１３ａの先端側縁部に、また面ファスナ１０を係止片１３ｂに取り付ける。カバー片１３ａの面ファスナ９を暖房装置の温気吹き出し口２２の上縁部の面ファスナ７に係止し、係止片１３ｂの面ファスナ１０を温気吹き出し口２２の下縁部の面ファスナ８に係止できるようにする。これにより、ホッパー２を各種の暖房装置に汎用的に装着できるものとすることができる。
【００１２】
噴気部材４は、断熱可撓性ダクト３によりホッパー２と連通し、床面上等の暖房装置２１から離れた位置に配置される。吸気ファン５は、ダクト３と噴気部材４との間に介設され、ホッパー２から暖房装置２１の温気を吸引して噴気部材４の噴気口４ａから噴出する。
【００１３】
例えば、吸気ファン５は、起動スイッチ５ａと、ホッパー２から送られてくる空気の温度を検知して所定温度以上である時に吸気ファン５を動作させる温度スイッチ５ｂとを具備するものとし、暖房装置２１の運転に対応させることができる。
【産業上の利用可能性】
【００１４】
この考案は、例えばエアコンディショナーの室内装置のような、室内の高所に設置された暖房装置から吹き出される温気を下方に誘導して床面付近を効率よく暖房するための温気誘導装置に適用される。
【図面の簡単な説明】
【００１５】
【図１】温気誘導装置の使用状態の斜視図である。
【図２】温気誘導装置の正面図である。
【図３】ホッパーの正面図である。
【図４】ホッパーの側面図である。
【図５】噴気部材の正面図である。
【図６】噴気部材の側面図である。
【図７】噴気部材の平面図である。
【図８】ホッパーの斜視図である。
【符号の説明】
【００１６】
１      温気誘導装置
２      ホッパー
３      ダクト
４      噴気部材
４ａ    噴気口
５      ファン
５ａ    起動スイッチ
５ｂ    温度スイッチ
６      開口
７      面ファスナ（係止部材）
８      面ファスナ（係止部材）
９      面ファスナ（係止部材）
１０    面ファスナ（係止部材）
１１    被覆部材
１２    成形枠部材
１３    接合片
１３ａ  カバー片
１３ｂ  係止片
２１    暖房装置
２２    温気吹き出し口
【図１】
0003108049.tif 000003
【図２】
0003108049.tif 000004
【図３】
0003108049.tif 000005
【図４】
0003108049.tif 000006
【図５】
0003108049.tif 000007
【図６】
0003108049.tif 000008
【図７】
0003108049.tif 000009
【図８】
0003108049.tif 000010